(57)【特許請求の範囲】
【請求項１】
光学素子を保持する筒状部と、前記筒状部から外側に向かって突出されたフランジ部と、前記フランジ部に形成された複数の貫通孔とを有する保持部材と、
前記光学素子を外方に臨ませる開口部と、前記開口部の外側に複数のネジ穴とを有し、前記保持部材に対向して配置されて、前記保持部材を対向する面内において互いに直交する第１の方向及び第２の方向に移動可能に支持する支持部材と、
前記筒状部を前記第２の方向に対して互いに平行となる一対の平行部を含む孔部の内側と嵌合させる枠部と、前記枠部から外側に向かって突出されたフランジ部と、前記フランジ部に形成された複数の貫通孔と有し、前記支持部材と対向する面において前記光学素子の光軸を通る前記第２の方向に対して平行な線上に位置して設けられた第１の支点を中心に回動自在に支持される第１の回動部材と、
前記筒状部を前記第１の方向に対して互いに平行となる一対の平行部を含む孔部の内側と嵌合させる枠部と、前記枠部から外側に向かって突出されたフランジ部と、前記フランジ部に形成された複数の貫通孔と有し、前記支持部材と対向する面において前記光学素子の光軸を通る前記第１の方向に対して平行な線上に位置して設けられた第２の支点を中心に回動自在に支持される第２の回動部材とを備え、
前記保持部材、前記第１の回動部材及び第２の回動部材は、互いに重ね合わされた前記フランジ部の各貫通孔を通して、これら貫通孔よりも径の小さいネジを前記ネジ穴に締結することによって、前記支持部材に取り付けられた構造を有し、
前記第１の回動部材は、前記支持部材の前記第１の支点に位置する軸部又は軸孔と係合される軸孔又は軸部を有することによって、前記第１の支点を中心に回動自在に支持されると共に、前記枠部の孔部の内側において前記筒状部を前記一対の平行部に沿った方向に移動可能に保持し、
前記第２の回動部材は、前記支持部材の前記第２の支点に位置する軸部又は軸孔と係合される軸孔又は軸部を有することによって、前記第２の支点を中心に回動自在に支持されると共に、前記枠部の孔部の内側において前記筒状部を前記一対の平行部に沿った方向に移動可能に保持し、
前記第１の回動部材と前記第２の回動部材との何れかの回動操作に伴って、前記保持部材が前記支持部材に対して前記第１の方向と前記第２の方向との何れかの方向に移動することによって、前記光学素子の光軸と直交する方向における相対的な位置調整が行われることを特徴とする調芯機構。
【請求項２】
前記保持部材、前記第１の回動部材及び前記第２の回動部材を前記支持部材と対向する面に向かって付勢する付勢手段を備えることを特徴とする請求項１に記載の調芯機構。
【請求項３】
前記付勢手段は、前記ネジ穴に締結される前記ネジとの間にバネ座金を介在させることによって、前記保持部材、前記第１の回動部材及び第２の回動部材が前記支持部材側に付勢される構造を有することを特徴とする請求項２に記載の調芯機構。
【請求項４】
前記第１の回動部材と前記第２の回動部材との回動方向の位置を調整する調整手段を備えることを特徴とする請求項１〜３の何れか一項に記載の調芯機構。
【請求項５】
前記調整手段は、前記支持部材の外周部に回転自在に取り付けられた調整部材を有し、
前記調整部材は、その回転中心に対して偏心された偏心部を有して、前記第１の回動部材と前記第２の回動部材との外周部に設けられた凹部に係合された状態で回転することによって、前記第１の回動部材と前記第２の回動部材とを回動方向に移動させることを特徴とする請求項４に記載の調芯機構。
【請求項６】
前記調整部材は、前記第１の回動部材の第１の支点と前記第２の回動部材の第２の支点とは前記光学素子の光軸を挟んだ反対側の外周部に設けられた凹部に係合されていることを特徴とする請求項５に記載の調芯機構。
【請求項７】
前記調整部材は、前記支持部材に回転自在に取り付けられた偏心ピンと、この偏心ピンを貫通させる長孔を有して前記凹部に係合された係合部材とから構成されていることを特徴とする請求項６に記載の調芯機構。
【請求項８】
複数のレンズが光軸方向に並んで配置された鏡筒本体と、
前記複数のレンズのうち少なくとも一部のレンズ又はレンズ群を保持するレンズ保持部材と、
前記レンズ保持部材の光軸と直交する方向における相対的な位置調整を行うレンズ調芯機構とを備え、
前記レンズ調芯機構として、請求項１〜７の何れか一項に記載の調芯機構を備えることを特徴とするレンズ鏡筒。
【請求項９】
前記鏡筒本体に設けられた開口部を通して、前記レンズ調芯機構による調整が行えることを特徴とする請求項８に記載のレンズ鏡筒。
【請求項１０】
請求項８又は９に記載のレンズ鏡筒を備える光学機器。
【発明の詳細な説明】
【技術分野】
【０００１】
本発明は、レンズ等の光学素子の光軸と直交する方向における相対的な位置調整を行う調芯機構、並びにそのような調芯機構を備えたレンズ鏡筒、及びそのようなレンズ鏡筒を備えた光学機器に関する。
【背景技術】
【０００２】
従来より、レンズ鏡筒に配置された複数のレンズのうち、ズーム(バリエータ)用レンズとフォーカス用レンズとを光軸方向に移動させることによって、変倍(ズーミング)と合焦(フォーカシング)とを行う、いわゆるインナーフォーカス式のズームレンズある。
【０００３】
このようなインナーフォーカス式のズームレンズは、フォーカシングによる全長の変化がなく、小型・軽量化が可能なため、例えば、デジタルビデオカメラやデジタルスチルカメラなどの撮像装置、プロジェクタなどの画像投影装置といった光学機器において幅広く利用されている。
【０００４】
ところで、ズームレンズでは、レンズ鏡筒に配置された複数のレンズのうち、一部のレンズをレンズ保持部材に保持し、このレンズ保持部材をレンズ鏡筒に組み込んだ際に、レンズの光軸ずれ調整（調芯という。）が行えるように、レンズ保持部材の光軸と直交する方向における相対的な位置調整を行うレンズ調芯機構を備えたものがある（特許文献１，２を参照。）。
【０００５】
例えば、下記特許文献１に記載のレンズ調芯機構では、一眼レフカメラ用交換レンズにおいて、そのレンズ鏡筒の変形防止を兼ねた板金でレンズ保持部材を押圧保持し、このレンズ保持部材を専用の調整治具で保持しながら、光軸と直交する方向に移動させながら、レンズ保持部材に保持された光学素子の光軸ずれを調整する構成となっている。しかしながら、この構成の場合、調整後に調整治具を取り除く際に、レンズ保持部材に加わる応力が緩和する方向にレンズ保持部材が動いてしまう欠点がある。
【０００６】
一方、下記特許文献２に記載のレンズ調芯機構では、一眼レフカメラ用交換レンズにおいて、そのレンズ鏡筒の変形防止を兼ねた板金でレンズ保持部材を押圧保持し、光軸と直交する回転軸を中心に回転させる偏心部材によって、レンズ保持部材を光軸と直交する方向に移動させながら、レンズ保持部材に保持された光学素子の光軸ずれを調整する構成となっている。しかしながら、この構成の場合、光学素子の光軸ずれを高精度に調整できるものの、調整箇所が３箇所となるため、調芯作業が複雑となる。
【先行技術文献】
【特許文献】
【０００７】
【特許文献１】特許第３７９２８７５号公報
【特許文献２】特開２００２−１９６２０５号公報
【発明の概要】
【発明が解決しようとする課題】
【０００８】
本発明は、このような従来の事情に鑑みて提案されたものであり、簡便な構成で、光学素子の光軸ずれを精度良く調整でき、なお且つ調芯作業を容易に行える調芯機構、並びにそのような調芯機構を備えたレンズ鏡筒、及びそのようなレンズ鏡筒を備えた光学機器を提供することを目的とする。
【課題を解決するための手段】
【０００９】
上記目的を達成するために、本発明に係る調芯機構は、光学素子を保持する筒状部と、筒状部から外側に向かって突出されたフランジ部と、フランジ部に形成された複数の貫通孔とを有する保持部材と、光学素子を外方に臨ませる開口部と、開口部の外側に複数のネジ穴とを有し、保持部材に対向して配置されて、保持部材を対向する面内において互いに直交する第１の方向及び第２の方向に移動可能に支持する支持部材と、筒状部を第２の方向に対して互いに平行となる一対の平行部を含む孔部の内側と嵌合させる枠部と、枠部から外側に向かって突出されたフランジ部と、フランジ部に形成された複数の貫通孔と有し、支持部材と対向する面において光学素子の光軸を通る第２の方向に対して平行な線上に位置して設けられた第１の支点を中心に回動自在に支持される第１の回動部材と、筒状部を第１の方向に対して互いに平行となる一対の平行部を含む孔部の内側と嵌合させる枠部と、枠部から外側に向かって突出されたフランジ部と、フランジ部に形成された複数の貫通孔と有し、支持部材と対向する面において光学素子の光軸を通る第１の方向に対して平行な線上に位置して設けられた第２の支点を中心に回動自在に支持される第２の回動部材とを備え、保持部材、第１の回動部材及び第２の回動部材は、互いに重ね合わされたフランジ部の各貫通孔を通して、これら貫通孔よりも径の小さいネジをネジ穴に締結することによって、支持部材に取り付けられた構造を有し、第１の回動部材は、支持部材の第１の支点に位置する軸部又は軸孔と係合される軸孔又は軸部を有することによって、第１の支点を中心に回動自在に支持されると共に、枠部の孔部の内側において筒状部を一対の平行部に沿った方向に移動可能に保持し、第２の回動部材は、支持部材の第２の支点に位置する軸部又は軸孔と係合される軸孔又は軸部を有することによって、第２の支点を中心に回動自在に支持されると共に、枠部の孔部の内側において筒状部を一対の平行部に沿った方向に移動可能に保持し、第１の回動部材と第２の回動部材との何れかの回動操作に伴って、保持部材が支持部材に対して第１の方向と第２の方向との何れかの方向に移動することによって、光学素子の光軸と直交する方向における相対的な位置調整が行われることを特徴とする。
【発明の効果】
【００１０】
以上のように、本発明に係る調芯機構では、第１の回動部材と第２の回動部材との何れかの回動操作に伴って、保持部材が支持部材の対向する面内で移動する簡便な構成によって、光学素子の光軸と直交する方向における相対的な位置調整を精度良く行うことが可能である。また、このような調芯作業を容易に行うことが可能である。
【００１１】
したがって、本発明によれば、そのような調芯機構を備えたレンズ鏡筒、及びそのようなレンズ鏡筒を備えた光学機器を提供することが可能である。
【図面の簡単な説明】
【００１２】
【図１】図１は、本発明を適用した交換レンズの内部構造を示す断面図である。
【図２】図２は、図１に示す交換レンズが備えるレンズ調芯機構の外観を示す斜視図である。
【図３】図３は、図２に示すレンズ調芯機構の断面図である。
【図４】図４は、図２に示すレンズ調芯機構を一方側から見た分解斜視図である。
【図５】図５は、図２に示すレンズ調芯機構を他方側から見た分解斜視図である。
【発明を実施するための形態】
【００１３】
以下、本発明を適用した調芯機構、レンズ鏡筒及び光学機器について、図面を参照して詳細に説明する。
本実施形態では、例えば図１に示す一眼レフカメラ用の交換レンズ（光学機器）１に本発明を適用した場合に挙げて説明するものとする。なお、図１は、この交換レンズ１の内部構造を示す断面図である。
【００１４】
この交換レンズ１は、図１に示すように、複数（本例では１５枚）のレンズＬ１〜Ｌ１５が光軸方向に並んで配置されたレンズ鏡筒２を備え、このレンズ鏡筒２に配置された複数のレンズＬ１〜Ｌ１５によって、インナーフォーカス式のズームレンズが構成されている。
【００１５】
具体的に、このズームレンズは、物体側（交換レンズ１の正面側）から順に、レンズＬ１，Ｌ２，Ｌ３からなる第１レンズ群Ｇ１と、レンズＬ４，Ｌ５，Ｌ６，Ｌ７からなる第２レンズ群Ｇ２と、レンズＬ８からなる第３レンズ群Ｇ３と、レンズＬ９からなる第４レンズ群Ｇ４と、レンズＬ１０，Ｌ１１からなる第５レンズ群Ｇ５と、レンズＬ１２，Ｌ１３，Ｌ１４，Ｌ１５からなる第６レンズ群Ｇ６との６群のレンズ構成を有している。また、第３レンズ群Ｇ３と第４レンズ群Ｇ４との間には絞りＳＰが配置されている。
【００１６】
そして、このズームレンズでは、固定の第１レンズ群Ｇ１に対して、残りの第２〜第６レンズ群Ｇ２〜Ｇ６を光軸方向に移動させることによって変倍（ズーミング）を行い、第４レンズ群Ｇ４を光軸方向に移動させることによって合焦（フォーカシング）を行う。
【００１７】
また、このズームレンズは、第５レンズ群Ｇ５を光軸と直交する方向に移動させることによって、手振れ等に起因した像振れを補正することが可能となっている。なお、ズームレンズの構成については、上述した６群１５枚のレンズ構成に限らず、そのレンズの枚数や組み合わせなどを適宜変更して実施することが可能である。
【００１８】
レンズ鏡筒２は、このようなズームレンズを構成するため、第１レンズ群Ｇ１を保持する第１のレンズ保持部材３と、第２レンズ群Ｇ２を保持する第２のレンズ保持部材４と、第３レンズ群Ｇ３を保持する第３のレンズ保持部材５と、第４レンズ群Ｇ４を保持する第４のレンズ保持部材６と、第５レンズ群Ｇ５を保持する第５のレンズ保持部材７と、第６レンズ群Ｇ６を保持する第６のレンズ保持部材８と、これら第１〜第６のレンズ保持部材３〜８のうち、第２〜第６のレンズ保持部材４〜８を内側に収納する固定筒９と、この固定筒９を内側に収納した状態で、固定筒９の外周部に周方向において回転自在に取り付けられたカム筒１０とを概略備えている。
【００１９】
第１のレンズ保持部材３は、全体が筒状に形成されて、その内側に第１レンズ群Ｇ１を保持した状態で、固定筒９の前面側に取り付けられている。
【００２０】
第２のレンズ保持部材４は、第２レンズ群Ｇ２を内側に保持する保持枠４ａを有して、固定筒９内において軸線方向に移動可能な状態で収納されている。また、保持枠４ａの外周部には、複数（本例では３つ）のガイドピンが周方向に並んで設けられている。
【００２１】
第３のレンズ保持部材５は、第３レンズ群Ｇ３を内側に保持する保持枠５ａを有して、第４のレンズ保持部材６（後述する保持筒１３）の前面側に一体的に取り付けられている。また、第３のレンズ保持部材５の背面側には、上記絞りＳＰの開口を調整するアイリスユニット（絞り調整機構）１１が取り付けられている。
【００２２】
第４のレンズ保持部材６は、第４レンズ群Ｇ４を内側に保持する保持枠１２と、この保持枠１２を内側に収納する保持筒１３と、この保持筒１３内で保持枠１２を光軸方向に変位駆動させるためのボイスコイルモータ（ＶＣＭ）等からなるフォーカスアクチュエータユニット（レンズ駆動機構）１４とを有しており、保持筒１３は、固定筒９内において軸線方向に移動可能な状態で収納されている。また、保持筒１３の外周部には、複数（本例では３つ）のガイドピンが周方向に並んで設けられている。
【００２３】
第５のレンズ保持部材７は、第５レンズ群Ｇ５を内側に保持する保持枠１５と、この保持枠１５を光軸と直交する面内で移動可能に支持する支持枠１６と、この支持枠１６に対して保持枠１５を光軸と直交する方向に変位駆動させるためのピエゾ素子（ＰＺＴ）等からなる防振アクチュエータユニット（像振れ補正機構）１７とを有している。そして、この第５のレンズ保持部材７は、第４のレンズ保持部材６（保持筒１３）の背面側に一体的に取り付けられている。
【００２４】
第６のレンズ保持部材８は、第６レンズ群Ｇ６を内側に保持する保持枠１８と、この保持枠１８を光軸と直交する面内で移動可能に支持する支持枠１９と、この支持枠１９に対する保持枠１８の光軸と直交する方向における相対的な位置調整を行うレンズ調芯機構２０とを有しており、支持枠１９は、固定筒９内において軸線方向に移動可能な状態で収納されている。また、支持枠１９の外周部には、複数（本例では３つ）のガイドピンが周方向に並んで設けられている。
【００２５】
固定筒９は、全体が略円筒状に形成されて、その内側に収納された第２〜第６のレンズ保持部材４〜８を光軸方向に移動可能に支持している。具体的に、この固定筒９には、光軸方向に平行に延びる直線状のガイドスリットが周方向に複数（本例では３つ）並んで設けられている。そして、固定筒９は、これらガイドスリットに上記第２〜第６のレンズ保持部材４〜８の外周部から突出された各ガイドピンが係合されることによって、第２〜第６のレンズ保持部材４〜８を光軸方向に移動可能に支持している。
【００２６】
カム筒１０は、全体が略円筒状に形成されて、その内側に収納された固定筒９の外周部に周方向において回転自在に取り付けられている。具体的に、このカム筒１０には、上記第２〜第６レンズ群Ｇ２〜Ｇ６の移動軌跡に対応する曲線状のカムスリット（図示せず。）が、上記第２〜第６のレンズ保持部材４〜８のガイドピン毎に、それぞれ周方向に複数（本例では３つ）並んで設けられている。そして、カム筒１０は、これらカムスリットに上記固定筒９の各ガイドスリットから突出された上記第２〜第６のレンズ保持部材４〜８の各ガイドピンが係合された状態で、固定筒９の外周部に周方向において回転自在に取り付けられている。
【００２７】
以上のような構造を有するレンズ鏡筒２では、カム筒１０の回転操作により、各ガイドピンが各ガイドスリット及び各カムスリット内を相対的に移動しながら、第２〜第６のレンズ保持部材４〜８が、各カムスリットの形状に合わせた軌跡を描きながら、固定筒９内を光軸方向に移動することになる。
【００２８】
交換レンズ１は、このようなレンズ鏡筒２に、手動又は自動でフォーカシングを行うための機構や、手振れ等を検知するための機構、一眼レフカメラに取り付けるための機構、その他の公知部品等を取り付けることによって構成されている。
【００２９】
そして、この交換レンズ１では、一眼レフカメラに取り付けられた状態において、上記レンズ鏡筒２のカム筒１０を回転操作することによって、第２〜第６レンズ群Ｇ２〜Ｇ６を光軸方向に移動させながらズーミングを行うことができる。また、ズーミング時に第４レンズ群Ｇ４を光軸方向に移動させることによってフォーカシングを行うことができる。さらに、この交換レンズ１では、第５レンズ群Ｇ５を光軸と直交する方向に移動させることによって、手振れ等に起因した像振れを打ち消す（キャンセル）することができる。
【００３０】
ところで、上記レンズ調芯機構２０は、本発明を適用した調芯機構によって構成されている。以下、本発明を適用したレンズ調芯機構２０について、図２〜図５を参照して説明する。なお、図２は、このレンズ調芯機構２０の外観を示す斜視図、図３は、このレンズ調芯機構２０の断面図、図４は、このレンズ調芯機構２０を一方側（図中左側）から見た分解斜視図、図５は、このレンズ調芯機構２０を他方側（図中右側）から見た分解斜視図である。
【００３１】
このレンズ調芯機構２０は、図２〜図５に示すように、上記第６レンズ群Ｇ６（光学素子）を保持する保持枠（保持部材）１８と、保持枠１８に対向して配置されて、この保持枠１８を対向する面内で移動可能に支持する支持枠（支持部材）１９と、支持枠１９に対向して配置されて、保持枠１８を保持しながら、この支持枠１９と対向する面に設けられた第１の支点Ｓ１を中心に回動自在に支持される第１の回動板（第１の回動部材）２１と、支持枠１９に対向して配置されて、保持枠１８を保持しながら、この支持枠１９と対向する面に設けられた第２の支点Ｓ２を中心に回動自在に支持される第２の回動板（第２の回動部材）２２とを備えている。
【００３２】
保持枠１８は、上記第６レンズ群Ｇ６を内側に保持する筒状部２３と、この筒状部２３の支持枠１９と対向する側の外周部から外側に向かって突出されたフランジ部２４と、このフランジ部２４に形成された複数（本例では３つ）の貫通孔２５とを有している。
【００３３】
支持枠１９は、上記第６レンズ群Ｇ６を外方に臨ませる開口部２６と、この開口部２６の外側に複数（本例では３つ）のネジ穴２７と、第１の支点Ｓ１及び第２の支点Ｓ２に対応する位置に第１の軸部２８ａ及び第２の軸部２８ｂとを有している。
【００３４】
第１の回動板２１及び第２の回動板２２は、保持枠１９の筒状部２３を内側に保持する枠部２９と、この枠部２９から外側に向かって突出されたフランジ部３０と、このフランジ部３０に形成された複数の貫通孔３１と、第１の軸孔３２ａ及び第２の軸孔３２ｂとを有している。
【００３５】
そして、このレンズ調芯機構２０では、保持枠１８の筒状部２３を支持枠１９の開口部２６の内側に位置させた状態で、フランジ部２４を支持枠１９の対向する面に接触させることによって、この支持枠１９の対向する面内で移動可能に取り付けられている。
【００３６】
また、第１の回転板２１は、枠部２９の鉛直平行部に保持枠１８の筒状部２３を嵌合させると共に、保持枠１８と互いのフランジ部２４，３０を重ね合わされた状態で、第１の軸孔３２ａに支持枠１９の第１の軸部２８ａを係合させることよって、支持枠１９の対向する面に第１の支点Ｓ１を中心に回動自在に取り付けられている。
【００３７】
また、第２の回動板２２は、枠部２９の水平平行部に保持枠１８の筒状部２３を嵌合させると共に、第１の回転板２１と互いのフランジ部３０，３０を重ね合わされた状態で、第２の軸孔３２ｂに支持枠１９の第２の軸部２８ｂを係合させることによって、支持枠１９の対向する面に第２の支点Ｓ２を中心に回動自在に取り付けられている。
【００３８】
また、第１の支点Ｓ１と第２の支点Ｓ２とは、上記第６レンズ群Ｇ６の光軸を挟んで互いに直角（９０°）を為す位置に配置されている。具体的に、第１の支点Ｓ１は、上記第６レンズ群Ｇ６の光軸を通る鉛直線上に位置し、本例では図２中に示す上記第６レンズ群Ｇ６の光軸を挟んだ下側に配置されている。これにより、レンズ調芯機構２０では、第１の回動板２１を第１の支点Ｓ１を中心に回動させることによって、この第１の回動板２１に保持された保持枠１８（すなわち上記第６レンズ群Ｇ６）を、支持枠１９と対向する面内において左右に振るヨーイング方向（第１の方向）に移動させることができる。
【００３９】
一方、第２の支点Ｓ２は、上記第６レンズ群Ｇ６の光軸を通る水平線上に位置し、本例では図２中に示す上記第６レンズ群Ｇ６の光軸を挟んだ右側に位置している。これにより、レンズ調芯機構２０では、第２の回動板２２が第１の支点Ｓ２を中心に回動することによって、この第２の回動板２２に保持された保持枠１８（すなわち上記第６レンズ群Ｇ６）を、支持枠１９と対向する面内において上下に振るピッチング方向（第２の方向）に移動させることができる。
【００４０】
また、レンズ調芯機構２０は、保持枠１８、第１の回動板２１及び第２の回動板２２を支持枠１９に固定する固定手段として、互いに重ね合わされたフランジ部２４，３０，３０の各貫通孔２５，３１，３１を通して、これら貫通孔２５，３１，３１よりも径の小さいネジ３３をネジ穴２７に締結することによって、保持枠１８、第１の回動板２１及び第２の回動板２２が支持枠１９に固定される構造を有している。
【００４１】
さらに、レンズ調芯機構２０は、保持枠１８、第１の回動板２１及び第２の回動板２２を支持枠１９と対向する面に向かって付勢する付勢手段として、ネジ穴２７に締結されるネジ３３との間にバネ座金３４を介在させることによって、保持枠１８、第１の回動板２１及び第２の回動板２２が支持枠１９側に付勢される構造を有している。
【００４２】
そして、このレンズ調芯機構２０では、第１の回動板２１及び第２の回動板２２の回動操作に伴って、支持枠１９の対向する面内で移動する保持枠１８が、バネ座金３４の付勢力によって、その光軸方向の位置を保持できる程度に、ネジ穴２７に対するネジ３３の締結力が調整されている。すなわち、これら保持枠１８、第１の回動板２１及び第２の回動板２２は、少なくとも調整前は支持枠１９に対して半固定状態で取り付けられている。
【００４３】
また、このレンズ調芯機構２０では、ネジ３３が第１の回動板２１及び第２の回動板２２の貫通孔３１に遊嵌された状態となっているため、この貫通孔３１の内側でネジ３３が相対的に移動する範囲で、第１の回動板２１及び第２の回動板２２が回動可能となっている。
【００４４】
また、レンズ調芯機構２０は、第１の回動板２１と第２の回動板２２との回動方向の位置を調整する調整機構（調整手段）３５を備えている。具体的に、この調整機構３５は、支持枠１９の外周部に回転自在に取り付けられた一対の調整部材３６ａ，３６ｂを有している。一対の調整部材３６ａ，３６ｂは、中心軸に対して偏心された偏心部３７ａを有する偏心ネジ（偏心ピン）３７と、この偏心ネジ３７を貫通させる長孔３８ａを有する係合部材３８とから構成されている。
【００４５】
そして、一方の調整部材３６ａは、第１の回動板２１の第１の支点Ｓ１とは上記第６レンズ群Ｇ６の光軸を挟んだ反対側（図２中に示す第１の回動板２１の上側）の外周部に設けられた凹部３９ａに係合部材３８を係合させた状態で、偏心ネジ３７が支持枠１９に設けられた突出部４０ａのネジ孔に螺合により取り付けられている。また、他方の調整部材３６ｂは、第２の回動板２２の第１の支点Ｓ２とは上記第６レンズ群Ｇ６の光軸を挟んだ反対側（（図２中に示す第２の回動板２２の右側）の外周部に設けられた凹部３９ｂに係合部材３８を係合させた状態で、偏心ネジ３７が支持枠１９に設けられた突出部４０ｂのネジ孔に螺合により取り付けられている。
【００４６】
そして、この調整機構３５では、一対の調整部材３６ａ，３６ｂの偏心ネジ３７を回転させると、この偏心ネジ３７の偏心部３７ａが係合部材３８の長孔３８ａ内で相対的に移動することによって、係合部材３８の突出部４０ｂ上における位置が切り替わる。これにより、第１の回動板２１と第２の回動板２２は、凹部３９ａ，３９ｂに係合された係合部材３８の移動によって回動するため、その回動方向の位置が調整可能となっている。
【００４７】
以上のような構造を有するレンズ調芯機構２０では、第１の回動板２１と第２の回動板２２との何れかの回動操作に伴って、保持枠１８が支持枠１９の対向する面内で移動する簡便な構成によって、上記第６レンズ群Ｇ６の光軸と直交する方向における相対的な位置調整を精度良く行うことが可能である。
【００４８】
また、このレンズ調芯機構２０では、上述した一対の調整部材３６ａ，３６ｂの偏心ネジ３７を回転操作することによって、上記第６レンズ群Ｇ６の光軸ずれ調整する調芯作業を容易に行うことが可能である。特に、上記レンズ鏡筒２に組み込まれた後も、上記固定筒９及び上記カム筒１０に設けられた開口部（図示せず。）から調整治具を通して、上述した一対の調整部材３６ａ，３６ｂの偏心ネジ３７を回転操作しながら、上記第６レンズ群Ｇ６の光軸ずれ調整を容易に行うことが可能である。さらに、上記レンズ鏡筒２のズームレンズを通して撮像されたチャートの画像をモニターで見ながら調整作業を行う際に、調整治具等が画像に映り込むことなく、上述した一対の調整部材３６ａ，３６ｂの偏心ネジ３７を回転操作することが可能である。
【００４９】
なお、本発明は、上記実施形態のものに必ずしも限定されるものではなく、本発明の趣旨を逸脱しない範囲において種々の変更を加えることが可能である。
例えば、上記レンズ調芯機構２０では、支持枠１９側に軸部２８ａ，２８ｂ、第１及び第２の回転板２１，２２側に軸孔３２ａ，３２ｂが設けられた構成となっているが、支持枠１９側に軸孔３２ａ，３２ｂ、第１及び第２の回転板２１，２２側に軸部２８ａ，２８ｂが設けられた構成とすることも可能である。
【００５０】
また、上記レンズ調芯機構２０では、支持枠１９側に調整部材３６ａ，３６ｂ、第１及び第２の回転板２１，２２側に凹部３９ａ，３９ｂが設けられた構成となっているが、支持枠１９側に凹部３９ａ，３９ｂ、第１及び第２の回転板２１，２２側に調整部材３６ａ，３６ｂが設けられた構成とすることも可能である。
【００５１】
また、上記レンズ調芯機構２０では、上述した一対の調整部材３６ａ，３６ｂの偏心ネジ３７を回転操作しながら調芯作業を行う構成となっているが、このような調整機構３５の構成に必ずしも限定されるものではなく、第１の回動板２１と第２の回動板２２との回動方向の位置を調整できる機構であれば、その他の機構を用いることが可能である。さらに、上記調整機構３５を省略し、治具等を用いて第１の回動板２１と第２の回動板２２とを直接回動させながら、上述した調芯作業を行う構成とすることも可能である。
【００５２】
また、上記実施形態では、上記第６のレンズ保持部材８に設けられたレンズ調芯機構２０に本発明の調芯機構を適用した場合を説明したが、本発明の調芯機構は、上記ズームレンズを構成する複数のレンズＬ１〜Ｌ１５のうち何れかのレンズ又はレンズ群の光軸ずれを調整する場合に適用することが可能である。また、本発明の調芯機構は、上述したレンズに限らず、光学フィルタなどの光学素子の光軸ずれを調整する場合にも適用することが可能である。
【００５３】
さらに、上記実施形態では、一眼レフフィルムカメラに用いられる交換レンズ１に本発明を適用した場合について説明したが、本発明は、レンズシャッタカメラ、デジタルスチルカメラ、ビデオカメラなどの撮影装置や、プロジェクタなどの画像投影装置といった光学機器、並びにそのような光学機器が備えるレンズ鏡筒に対して、幅広く適用することが可能である。
【符号の説明】
【００５４】
１…交換レンズ（光学機器）  ２…レンズ鏡筒  ３…第１のレンズ保持部材  ４…第２のレンズ保持部材  ５…第３のレンズ保持部材  ６…第４のレンズ保持部材  ７…第５のレンズ保持部材  ８…第６のレンズ保持部材  ９…固定筒  １０…カム筒  １１…アイリスユニット（絞り調整機構）  １２…保持枠  １３…保持筒  １４…フォーカスアクチュエータユニット（レンズ駆動機構）  １５…保持枠  １６…支持枠  １７…防振アクチュエータユニット（像振れ補正機構）  １８…保持枠（保持部材）  １９…支持枠（支持部材）  ２０…レンズ調芯機構  ２１…第１の回動板（第１の回動部材）  ２２…第２の回動板（第２の回動部材）  ２３…筒状部  ２４…フランジ部  ２５…貫通孔  ２６…開口部  ２７…ネジ穴  ２８ａ，２８ｂ…軸部  ２９…枠部  ３０…フランジ部  ３１…貫通孔  ３２ａ，３２ｂ…軸孔  ３３…ネジ（固定手段）  ３４…バネ座金（付勢手段）  ３５…調整機構（調整手段）  ３６ａ，３６ｂ…調整部材  ３７…偏心ネジ（偏心ピン）  ３７ａ…偏心部  ３８…係合部材  ３８ａ…長孔  ３９ａ，３９ｂ…凹部  ４０ａ，４０ｂ…突出部  Ｓ１…第１の支点  Ｓ２…第２の支点  Ｌ１〜Ｌ１５…レンズ  Ｇ１〜Ｇ６…第１〜第６レンズ群  ＳＰ…絞り
【図１】
0005776179.tif 000002
【図２】
0005776179.tif 000003
【図３】
0005776179.tif 000004
【図４】
0005776179.tif 000005
【図５】
0005776179.tif 000006